(57)【要約】  【課題】  ＲＦモジュレータからのＲＦ信号とアンテナ入力端子からのテレビ信号とが互いに干渉せずにＲＦ出力端子からＲＦ信号またはテレビ信号を出力することができるようにした出力信号切換装置を提供する。  【解決手段】  テレビモード時には、信号オープン用リレー３をオンさせ且つ減衰器４の減衰動作は停止させるので、アンテナ入力端子１からのテレビ信号はＲＦ出力端子５から出力される。ＲＦ出力モード時には、信号オープン用リレー３をオフさせ且つ減衰器４を減衰動作させるので、アンテナ入力端子１に入力されたテレビ信号はオープン状態になり、ＲＦ出力端子５へは導かれない。これにより、ＲＦモジュレータ９からのＲＦ信号がテレビ信号に影響されることなく、ＲＦ出力端子５から出力されるので、テレビから出力される再生画像や再生音声にノイズが混入することがない。【選択図】      図１
2005229155.tif 000002
【特許請求の範囲】
【請求項１】
テレビ信号を入力するためのアンテナ入力端子と、該アンテナ入力端子からのテレビ信
号またはビデオプレイヤのＲＦモジュレータからのＲＦ信号を出力するためのＲＦ出力端
子と、前記アンテナ入力端子からのテレビ信号を分配する分配手段と、該分配手段で分配
された一方のテレビ信号を前記ＲＦモジュレータのＲＦ出力モード時にオープンするため
の信号オープン用スイッチ手段と減衰手段との直列回路と、前記ビデオプレイヤによるテ
レビ信号の記録時にオンし前記分配手段で分配された他方のテレビ信号を前記ビデオプレ
イヤ側のチューナに導く記録用スイッチ手段と、少なくとも前記信号オープン用スイッチ
手段と前記減衰手段と前記記録用スイッチ手段とを制御する制御手段とを備え、前記制御
手段は、テレビモード時には、前記信号オープン用スイッチ手段をオンさせ且つ前記減衰
手段の減衰動作を停止させると共に前記記録用スイッチ手段をオフさせ、ＲＦ出力モード
時には、前記信号オープン用スイッチ手段をオフさせ且つ前記減衰手段の減衰動作を行わ
せると共に前記記録用スイッチ手段をオフさせ、また、記録モード時には、前記記録用ス
イッチ手段をオンさせ、記録中の内容を視聴する場合は、前記信号オープン用スイッチ手
段をオフさせ且つ前記減衰手段の減衰動作を行わせ、記録中であってもアンテナ入力端子
からのテレビ信号をＲＦ出力端子から出力させる場合は、前記信号オープン用スイッチ手
段をオンさせ且つ前記減衰手段の減衰動作を停止させると共に、前記ＲＦモジュレータか
らのＲＦ信号のＲＦ出力端子への出力を停止させる制御を行うことを特徴とする出力信号
切換装置。
【請求項２】
テレビ信号を入力するためのアンテナ入力端子と、該アンテナ入力端子からのテレビ信
号またはビデオプレイヤのＲＦモジュレータからのＲＦ信号を出力するためのＲＦ出力端
子と、前記ＲＦモジュレータのＲＦ出力モード時に前記アンテナ入力端子からのテレビ信
号をオープンするためにオフする信号オープン用スイッチ手段と、少なくとも前記信号オ
ープン用スイッチ手段を制御する制御手段とを備え、前記制御手段は、テレビモード時に
は、前記信号オープン用スイッチ手段をオンさせ、ＲＦ出力モード時には、前記信号オー
プン用スイッチ手段をオフさせることを特徴とする出力信号切換装置。
【請求項３】
前記信号オープン用スイッチ手段に直列に減衰手段を接続し、前記制御手段は、テレビ
モード時には、前記信号オープン用スイッチ手段をオンさせ且つ前記減衰手段の減衰動作
を停止させ、ＲＦ出力モード時には、前記信号オープン用スイッチ手段をオフさせ且つ前
記減衰手段の減衰動作を行わせることを特徴とする請求項２に記載の出力信号切換装置。
【請求項４】
前記アンテナ入力端子からのテレビ信号を分配する分配手段と、前記テレビ信号の記録
時にオンし前記テレビ信号をビデオプレイヤ側のチューナに導く記録用スイッチ手段とを
更に設け、前記分配手段で分配された一方のテレビ信号を信号オープン用スイッチ手段側
へ導き、他方のテレビ信号を前記記録用スイッチ手段側へ導き、制御手段は、テレビモー
ド時には、前記信号オープン用スイッチ手段をオンさせ且つ前記減衰手段の減衰動作を停
止させると共に前記記録用スイッチ手段をオフさせ、ＲＦ出力モード時には、前記信号オ
ープン用スイッチ手段をオフさせ且つ前記減衰手段の減衰動作を行わせると共に前記記録
用スイッチ手段をオフさせ、また、記録モード時には、前記記録用スイッチ手段をオンさ
せ、記録中の内容を視聴する場合は、前記信号オープン用スイッチ手段をオフさせ且つ前
記減衰手段の減衰動作を行わせ、記録中であってもアンテナ入力端子からのテレビ信号を
ＲＦ出力端子から出力させる場合は、前記信号オープン用スイッチ手段をオンさせ且つ前
記減衰手段の減衰動作を停止させると共に、前記ＲＦモジュレータからのＲＦ信号のＲＦ
出力端子への出力を停止させる制御を行うことを特徴とする請求項３に記載の出力信号切
換装置。
【発明の詳細な説明】
【技術分野】
【０００１】
本発明は、アンテナ入力端子からのテレビ信号またはビデオプレイヤからのＲＦ信号を
切り換えてＲＦ出力端子から出力する出力信号切換装置に関する。
【背景技術】
【０００２】
この種の従来の出力信号切換装置は、テレビ信号を入力するためのアンテナ入力端子と
、該アンテナ入力端子からのテレビ信号またはビデオプレイヤのＲＦモジュレータからの
ＲＦ信号を出力するためのＲＦ出力端子と、前記ＲＦモジュレータのＲＦ出力モード時に
前記アンテナ入力端子からのテレビ信号を減衰させる減衰器と、該減衰器を制御する制御
回路とを備えている。前記制御回路は、テレビモード時には、前記減衰器の減衰動作を停
止させ、ＲＦ出力モード時には、前記減衰器の減衰動作を行わせる制御を行う。
【０００３】
即ち、前記制御回路は、テレビモード時には、前記アンテナ入力端子からのテレビ信号
を前記ＲＦ出力端子に導くため、前記減衰器の減衰動作を停止させている。また、ＲＦ出
力モード時には、ビデオプレイヤからのＲＦ信号を前記ＲＦ出力端子に導くため、前記ア
ンテナ入力端子からのテレビ信号が前記ＲＦ出力端子に極力混入しないように、前記減衰
器を減衰動作させ、テレビ信号を減衰させている。
【特許文献１】特開昭５８−１２４３８１号公報
【特許文献２】実開平２−８２３９号公報
【発明の開示】
【発明が解決しようとする課題】
【０００４】
しかしながら、このような構成の従来の出力信号切換装置では、上述したようにＲＦ出
力モード時には、ビデオプレイヤからのＲＦ信号をＲＦ出力端子に導くため、アンテナ入
力端子からのテレビ信号がＲＦ出力端子に極力混入しないように、減衰器を減衰動作させ
、テレビ信号を減衰させているが、例えば、ＲＦモジュレータの出力信号の周波数（出力
チャンネル）とアンテナ入力端子からのテレビ信号の周波数（入力チャンネル）とが重な
った場合には、テレビ画面にノイズが混入したり、音声にノイズが混入したりするという
課題が生じる。
【０００５】
この原因は、ＲＦ出力モードになった時、入力されたテレビ信号は減衰器によって大き
く減衰しているが、全く無くなっている訳ではないので、ＲＦモジュレータの出力信号の
周波数（出力チャンネル）とアンテナ入力端子からのテレビ信号の周波数（入力チャンネ
ル）とが重なった場合には、ＲＦモジュレータの出力信号はテレビ信号に少なからず影響
を受け、その影響が再生画面や再生音声にノイズとして現われることになる。
【０００６】
また、外来からの強いノイズ成分が突発的にアンテナ入力端子に入って来た場合、回路
的に回り込み、ＲＦモジュレータの出力に影響を与えることがある。また、通常は、ＲＦ
出力モード時では、テレビ側のチューナは、空きチャンネルに設定してＲＦモジュレータ
からのＲＦ信号を入力するが、間違ってテレビ側のチューナを放送中のチャンネルに設定
した場合、アンテナ入力端子からのテレビ信号がテレビ側のチューナに僅かでも入力され
ることがある。したがって、これらの場合も、再生画面にノイズが混入したり、再生音声
にノイズが混入したりするという課題が生じる。
【０００７】
なお、特許文献１の従来技術では、ＴＶモード（テレビモード）時とＶＴＲモード（Ｒ
Ｆ出力モードに相当）時の何れの場合にも、良好な入力整合特性を得るための回路を提供
しているが、このような回路構成では、ＲＦモジュレータの出力信号の周波数（出力チャ
ンネル）とアンテナ入力端子からのテレビ信号の周波数（入力チャンネル）とが重なった
場合には、ＲＦモジュレータの出力信号はテレビ信号に少なからず影響を受け、それが、
再生画面や再生音声のノイズとして現われることになり、上記のような課題を解決できる
ものではない。
【０００８】
特許文献２の従来技術では、ＲＦ出力端子に導かれる増幅回路の出力をオン、オフする
スイッチングダイオードを設け、このスイッチングダイオードの出力側に直列共振回路を
設け、ＴＶモードまたはＶＴＲモードに応じてスイッチングダイオードをオン、オフ制御
すると共に、増幅回路の利得を制御する手段を設けることにより、ＶＴＲモード時に外部
入力信号（テレビ信号）を減衰させるようにしているが、このような回路構成では、前記
従来技術と同様、ＲＦモジュレータの出力信号の周波数（出力チャンネル）とアンテナ入
力端子からのテレビ信号の周波数（入力チャンネル）とが重なった場合には、ＲＦモジュ
レータの出力信号はテレビ信号に少なからず影響を受け、それが、再生画面や再生音声の
ノイズとして現われることになり、上記のような課題を解決できるものではない。
【０００９】
本発明は、上記のような課題を解決するためになされたもので、ＲＦモジュレータから
のＲＦ信号とアンテナ入力端子からのテレビ信号とが互いに干渉せずにＲＦ出力端子から
ＲＦ信号またはテレビ信号を出力することができるようにした出力信号切換装置を提供す
ることを目的とする。
【課題を解決するための手段】
【００１０】
上記目的を達成するために、請求項１の発明は、テレビ信号を入力するためのアンテナ
入力端子と、該アンテナ入力端子からのテレビ信号またはビデオプレイヤのＲＦモジュレ
ータからのＲＦ信号を出力するためのＲＦ出力端子と、前記アンテナ入力端子からのテレ
ビ信号を分配する分配手段と、該分配手段で分配された一方のテレビ信号を前記ＲＦモジ
ュレータのＲＦ出力モード時にオープンするための信号オープン用スイッチ手段と減衰手
段との直列回路と、前記ビデオプレイヤによるテレビ信号の記録時にオンし前記分配手段
で分配された他方のテレビ信号を前記ビデオプレイヤ側のチューナに導く記録用スイッチ
手段と、少なくとも前記信号オープン用スイッチ手段と前記減衰手段と前記記録用スイッ
チ手段とを制御する制御手段とを備え、前記制御手段は、テレビモード時には、前記信号
オープン用スイッチ手段をオンさせ且つ前記減衰手段の減衰動作を停止させると共に前記
記録用スイッチ手段をオフさせ、ＲＦ出力モード時には、前記信号オープン用スイッチ手
段をオフさせ且つ前記減衰手段の減衰動作を行わせると共に前記記録用スイッチ手段をオ
フさせ、また、記録モード時には、前記記録用スイッチ手段をオンさせ、記録中の内容を
視聴する場合は、前記信号オープン用スイッチ手段をオフさせ且つ前記減衰手段の減衰動
作を行わせ、記録中であってもアンテナ入力端子からのテレビ信号をＲＦ出力端子から出
力させる場合は、前記信号オープン用スイッチ手段をオンさせ且つ前記減衰手段の減衰動
作を停止させると共に、前記ＲＦモジュレータからのＲＦ信号のＲＦ出力端子への出力を
停止させる制御を行うことを特徴とする出力信号切換装置を提供する。
【００１１】
この構成において、制御手段は、テレビモード時には、信号オープン用スイッチ手段を
オンさせ且つ減衰手段の減衰動作を停止させると共に記録用スイッチ手段をオフさせるの
で、アンテナ入力端子からのテレビ信号は信号オープン用スイッチ手段および減衰手段を
そのまま通過し、ＲＦ出力端子から出力される。また、記録用スイッチ手段はオフになっ
ているので、ＲＦ出力端子から出力されるテレビ信号がビデオプレイヤ側のチューナによ
る影響を受けることもない。
【００１２】
また、制御手段は、ＲＦ出力モード時には、信号オープン用スイッチ手段をオフさせ且
つ減衰手段の減衰動作を行わせると共に前記記録用スイッチ手段をオフさせるので、アン
テナ入力端子に入力されたテレビ信号は、信号オープン用スイッチ手段によりオープン状
態になり、ＲＦ出力端子へは導かれない。もし、テレビ信号が信号オープン用スイッチ手
段で高周波的に完全にカットされなかった場合も、漏れテレビ信号は、次段の減衰手段に
より大きく減衰されて無くなり、ＲＦ出力端子へは導かれることはない。これにより、Ｒ
ＦモジュレータのＲＦ信号がテレビ信号に影響されることが完全に無くなるので、再生画
像や再生音声にノイズが混入することがない。また、記録用スイッチ手段はオフになって
いるので、ＲＦ出力端子から出力されるＲＦ信号がビデオプレイヤ側のチューナによる影
響を受けることもない。
【００１３】
また、制御手段は、記録モード時には、前記記録用スイッチ手段をオンさせ、記録中の
内容を視聴する場合は、前記信号オープン用スイッチ手段をオフさせ且つ前記減衰手段の
減衰動作を行わせるので、前記減衰手段からはテレビ信号が出力されることがなく、ビデ
オプレイヤで記録中のテレビ信号が影響を受けずにＲＦ出力端子から出力される。これに
より、記録中におけるリアルタイムの画像や音声にノイズが混入することがないと共に、
ビデオプレイヤにおける記録画像や記録音声にもノイズが混入することはない。
【００１４】
同じく記録モード時において、記録中であってもアンテナ入力端子からのテレビ信号を
ＲＦ出力端子から出力させる場合は、前記信号オープン用スイッチ手段をオンさせ且つ前
記減衰手段の減衰動作を停止させると共に、前記ＲＦモジュレータからのＲＦ信号のＲＦ
出力端子への出力を停止させるので、テレビにおいて希望のチャンネルの放送を視聴する
ことができると共に、裏側でビデオプレイヤにおいて希望のチャンネルの放送を記録する
ことができる。しかも、テレビ側のチャンネルのテレビ信号とビデオプレイヤ側のチャン
ネルのテレビ信号とが干渉することがないので、テレビにおける画像や音声にノイズが混
入することがないと共に、ビデオプレイヤにおける記記録像や記録音声にもノイズが混入
することはない。
【００１５】
この構成によれば、ＲＦモジュレータの出力信号の周波数（出力チャンネル）とアンテ
ナ入力端子からのテレビ信号の周波数（入力チャンネル）とが重なった場合でも、ＲＦモ
ジュレータからのＲＦ信号とアンテナ入力端子からのテレビ信号とが互いに干渉せずにＲ
Ｆ出力端子からＲＦ信号またはテレビ信号を出力することができるようになり、これによ
り、テレビモード時には、テレビ放送における画像や音声にノイズが混入することがなく
なり、また、ＲＦ出力モード時には、再生画像や再生音声にノイズが混入することがなく
なり、また、記録モード時には、ビデオプレイヤにおいてノイズの無いテレビ信号を記録
することができ、また、テレビにおいてはノイズの無い画像および音声を出力することも
できる。
【００１６】
請求項２の発明は、テレビ信号を入力するためのアンテナ入力端子と、該アンテナ入力
端子からのテレビ信号またはビデオプレイヤのＲＦモジュレータからのＲＦ信号を出力す
るためのＲＦ出力端子と、前記ＲＦモジュレータのＲＦ出力モード時に前記アンテナ入力
端子からのテレビ信号をオープンするためにオフする信号オープン用スイッチ手段と、少
なくとも前記信号オープン用スイッチ手段を制御する制御手段とを備え、前記制御手段は
、テレビモード時には、前記信号オープン用スイッチ手段をオンさせ、ＲＦ出力モード時
には、前記信号オープン用スイッチ手段をオフさせることを特徴とする出力信号切換装置
を提供する。
【００１７】
この構成において、制御手段は、テレビモード時には、信号オープン用スイッチ手段を
オンさせるので、アンテナ入力端子からのテレビ信号は、信号オープン用スイッチ手段を
通過し、ＲＦ出力端子から出力される。また、ＲＦ出力モード時には、信号オープン用ス
イッチ手段をオフさせるので、アンテナ入力端子に入力されたテレビ信号は、信号オープ
ン用スイッチ手段によりオープン状態になり、ＲＦ出力端子へは導かれない。これにより
、ＲＦモジュレータのＲＦ信号がテレビ信号に影響されることがないので、再生画像や再
生音声にノイズが混入することがない。
【００１８】
この構成によれば、ＲＦモジュレータの出力信号の周波数（出力チャンネル）とアンテ
ナ入力端子からのテレビ信号の周波数（入力チャンネル）とが重なった場合でも、ＲＦモ
ジュレータからのＲＦ信号とアンテナ入力端子からのテレビ信号とが互いに干渉せずにＲ
Ｆ出力端子からＲＦ信号またはテレビ信号を出力することができるようになり、これによ
り、テレビモード時には、テレビ放送における画像や音声にノイズが混入することがなく
なり、また、ＲＦ出力モード時には、再生画像や再生音声にノイズが混入することがなく
なる。
【００１９】
請求項３の発明では、請求項２の発明において、信号オープン用スイッチ手段に直列に
減衰手段を接続し、制御手段は、テレビモード時には、前記信号オープン用スイッチ手段
をオンさせ且つ減衰手段の減衰動作を停止させ、ＲＦ出力モード時には、前記信号オープ
ン用スイッチ手段をオフさせ且つ前記減衰手段の減衰動作を行わせるようにしたので、も
し、テレビ信号が前記信号オープン用スイッチ手段で高周波的に完全にカットされなかっ
た場合も、漏れテレビ信号は、次段の減衰手段により大きく減衰されて無くなり、ＲＦ出
力端子へは導かれることはない。これにより、ＲＦモジュレータのＲＦ信号がテレビ信号
に影響されることが完全に無くなる。
【００２０】
請求項４の発明では、請求項３の発明において、アンテナ入力端子からのテレビ信号を
分配する分配手段と、前記テレビ信号の記録時にオンし前記テレビ信号をビデオプレイヤ
側のチューナに導く記録用スイッチ手段とを更に設け、前記分配手段で分配された一方の
テレビ信号を信号オープン用スイッチ手段側へ導き、他方のテレビ信号を前記記録用スイ
ッチ手段側へ導き、制御手段は、テレビモード時には、前記信号オープン用スイッチ手段
をオンさせ且つ前記減衰手段の減衰動作を停止させると共に前記記録用スイッチ手段をオ
フさせ、ＲＦ出力モード時には、前記信号オープン用スイッチ手段をオフさせ且つ前記減
衰手段の減衰動作を行わせると共に前記記録用スイッチ手段をオフさせ、また、記録モー
ド時には、前記記録用スイッチ手段をオンさせ、記録中の内容を視聴する場合は、前記信
号オープン用スイッチ手段をオフさせ且つ前記減衰手段の減衰動作を行わせ、記録中であ
ってもアンテナ入力端子からのテレビ信号をＲＦ出力端子から出力させる場合は、前記信
号オープン用スイッチ手段をオンさせ且つ前記減衰手段の減衰動作を停止させると共に、
前記ＲＦモジュレータからのＲＦ信号のＲＦ出力端子への出力を停止させる制御を行うよ
うにしている。
【００２１】
この構成により、制御手段は、テレビモード時には、信号オープン用スイッチ手段をオ
ンさせ且つ減衰手段の減衰動作を停止させると共に記録用スイッチ手段をオフさせるので
、アンテナ入力端子からのテレビ信号は信号オープン用スイッチ手段および減衰手段をそ
のまま通過し、ＲＦ出力端子から出力される。また、記録用スイッチ手段はオフになって
いるので、ＲＦ出力端子から出力されるテレビ信号がビデオプレイヤ側のチューナによる
影響も受けることがない。
【００２２】
また、制御手段は、ＲＦ出力モード時には、信号オープン用スイッチ手段をオフさせ且
つ減衰手段の減衰動作を行わせると共に記録用スイッチ手段をオフさせるので、アンテナ
入力端子に入力されたテレビ信号は前記信号オープン用スイッチ手段によりオープン状態
になり、ＲＦ出力端子へは導かれない。もし、テレビ信号が信号オープン用スイッチ手段
で高周波的に完全にカットされなかった場合も、漏れテレビ信号は、次段の減衰手段によ
り大きく減衰されて無くなり、ＲＦ出力端子へは導かれることはない。これにより、ＲＦ
モジュレータのＲＦ信号がテレビ信号に影響されることが完全に無くなるので、再生画像
や再生音声にノイズが混入することがない。また、記録用スイッチ手段はオフになってい
るので、ＲＦ出力端子から出力されるＲＦ信号がビデオプレイヤ側のチューナによる影響
を受けることがない。
【００２３】
また、制御手段は、記録モード時には、記録用スイッチ手段をオンさせ、記録中の内容
を視聴する場合は、信号オープン用スイッチ手段をオフさせ且つ減衰手段の減衰動作を行
わせるので、前記減衰手段からはテレビ信号が出力されることがなく、ビデオプレイヤで
記録中のテレビ信号が影響を受けずにＲＦ出力端子から出力される。これにより、記録中
におけるリアルタイムの画像や音声にノイズが混入することがないと共に、ビデオプレイ
ヤにおける記録画像や記録音声にもノイズが混入することはない。
【００２４】
同じく記録モード時において、記録中であってもアンテナ入力端子からのテレビ信号を
ＲＦ出力端子から出力させる場合は、前記信号オープン用スイッチ手段をオンさせ且つ前
記減衰手段の減衰動作を停止させると共に、前記ＲＦモジュレータからのＲＦ信号のＲＦ
出力端子への出力を停止させるので、テレビにおいて希望のチャンネルの放送を視聴する
ことができると共に、裏側でビデオプレイヤにおいて希望のチャンネルの放送を記録する
ことができる。しかも、テレビ側のチャンネルのテレビ信号とビデオプレイヤ側のチャン
ネルのテレビ信号とが干渉することがないので、テレビにおける画像や音声にノイズが混
入することがないと共に、ビデオプレイヤにおける記記録像や記録音声にもノイズが混入
することはない。
【発明の効果】
【００２５】
以上のように本発明によれば、制御手段は、テレビモード時には、信号オープン用スイ
ッチ手段をオンさせ且つ減衰手段の減衰動作を停止させると共に記録用スイッチ手段をオ
フさせ、ＲＦ出力モード時には、信号オープン用スイッチ手段をオフさせ且つ減衰手段の
減衰動作を行わせると共に記録用スイッチ手段をオフさせ、また、記録モード時には、記
録用スイッチ手段をオンさせ、記録中の内容を視聴する場合は、信号オープン用スイッチ
手段をオフさせ且つ減衰手段の減衰動作を行わせ、記録中であってもアンテナ入力端子か
らのテレビ信号をＲＦ出力端子から出力させる場合は、信号オープン用スイッチ手段をオ
ンさせ且つ減衰手段の減衰動作を停止させると共に、ＲＦモジュレータからのＲＦ信号の
ＲＦ出力端子への出力を停止させる制御を行うようにした。
【００２６】
このような制御を行うことにより、ＲＦモジュレータの出力信号の周波数（出力チャン
ネル）とアンテナ入力端子からのテレビ信号の周波数（入力チャンネル）とが重なった場
合でも、ＲＦモジュレータからのＲＦ信号とアンテナ入力端子からのテレビ信号とが互い
に干渉せずにＲＦ出力端子からＲＦ信号またはテレビ信号を出力することができるように
なり、これにより、テレビモード時には、テレビ放送における画像や音声にノイズが混入
することがなくなり、また、ＲＦ出力モード時には、再生画像や再生音声にノイズが混入
することがなくなり、また、記録モード時には、ビデオプレイヤにおいてノイズの無いテ
レビ信号を記録することができ、また、テレビにおいてはノイズの無い画像および音声を
出力することもできる。
【００２７】
また、外来からの強いノイズ成分が突発的にアンテナ入力端子に入って来た場合でも、
回路的に回り込み、ＲＦモジュレータの出力に影響を与えることがない。また、通常は、
ＲＦ出力モード時では、テレビ側のチューナは、空きチャンネルに設定してＲＦモジュレ
ータからのＲＦ信号を入力するが、間違ってテレビ側のチューナを放送中のチャンネルに
設定した場合でも、アンテナ入力端子からのテレビ信号はテレビ側のチューナに入力され
ることがない。また、ＲＦ出力モード時において、必要に応じてテレビ信号の入力信号を
オープンしてカットすることで、ＲＦモジュレータの出力周波数（出力チャンネル）をど
のように設定しても、テレビ信号の入力信号に干渉されないＲＦ信号をＲＦ出力端子から
出力できる。したがって、これらの場合においても、再生画像や再生音声にノイズが入る
ことがない。
【００２８】
また、本発明によれば、制御手段は、テレビモード時には、信号オープン用スイッチ手
段をオンさせ、ＲＦ出力モード時には、信号オープン用スイッチ手段をオフさせるので、
ＲＦモジュレータの出力信号の周波数（出力チャンネル）とアンテナ入力端子からのテレ
ビ信号の周波数（入力チャンネル）とが重なった場合でも、ＲＦモジュレータからのＲＦ
信号とアンテナ入力端子からのテレビ信号とが互いに干渉せずにＲＦ出力端子からＲＦ信
号またはテレビ信号を出力することができるようになり、これにより、テレビモード時に
は、テレビ放送における画像や音声にノイズが混入することがなくなり、また、ＲＦ出力
モード時には、再生画像や再生音声にノイズが混入することがなくなる。
【００２９】
また、外来からの強いノイズ成分が突発的にアンテナ入力端子に入って来た場合でも、
回路的に回り込み、ＲＦモジュレータの出力に影響を与えることがない。また、通常は、
ＲＦ出力モード時では、テレビ側のチューナは、空きチャンネルに設定してＲＦモジュレ
ータからのＲＦ信号を入力するが、間違ってテレビ側のチューナを放送中のチャンネルに
設定した場合でも、アンテナ入力端子からのテレビ信号はテレビ側のチューナに入力され
ることがない。また、ＲＦ出力モード時において、必要に応じてテレビ信号の入力信号を
オープンしてカットすることで、ＲＦモジュレータの出力周波数（出力チャンネル）をど
のように設定しても、テレビ信号の入力信号に干渉されないＲＦ信号をＲＦ出力端子から
出力できる。したがって、これらの場合においても、再生画像や再生音声にノイズが入る
ことがない。
【発明を実施するための最良の形態】
【００３０】
以下、添付図面を参照しつつ、本発明の実施の形態について説明する。図１は本発明の
一実施形態に係る出力信号切換装置における切換回路を含む回路ブロック図である。この
出力信号切換装置はビデオプレイヤに用いられ、ビデオプレイヤとしては、ＶＣＲ（ビデ
オ・カセット・レコーダ）、ＶＴＲ（ビデオ・テープ・レコーダ）、ＣＤ（コンパクト・
ディスク）プレイヤ、ＤＶＤ（デジタル・バーサタイル・ディスク）プレイヤなどがある
。
【００３１】
この出力信号切換装置における切換回路は、図示しないアンテナからのテレビ信号を入
力するためのアンテナ入力端子１と、該アンテナ入力端子１からのテレビ信号またはビデ
オプレイヤのＲＦモジュレータ９からのＲＦ信号を出力するためのＲＦ出力端子５と、ア
ンテナ入力端子１からのテレビ信号を分配する分配手段としての分配器２と、該分配器２
で分配された一方のテレビ信号をＲＦモジュレータ９のＲＦ出力モード時にオープンする
ための信号オープン用スイッチ手段としての信号オープン用リレー３と減衰手段としての
減衰器４との直列回路とを備えている。
【００３２】
また、この切換回路は、ビデオプレイヤによるテレビ信号の記録時にオンし分配器２で
分配された他方のテレビ信号をビデオプレイヤ側のチューナ７に導く記録用スイッチ手段
としての記録用リレー６と、少なくとも信号オープン用リレー３と減衰器４と記録用リレ
ー６とを制御する制御手段としての制御回路８とを備えている。
【００３３】
信号オープン用リレー３は、スイッチ３１とコイル３２を有し、スイッチ３１の一端は
分配器２の一方の出力端子に接続され、スイッチ３１の他端は減衰器４の入力端子に接続
されている。また、コイル３２の一端は電源Ｖｃｃに接続され、その他端は抵抗１０を介
してＮＰＮ形のトランジスタ１１のコレクタに接続されている。トランジスタ１１のベー
スは抵抗１２を介して制御回路８の出力端子に接続され、そのエミッタは接地されている
。
【００３４】
記録用リレー６は、スイッチ６１とコイル６２を有し、スイッチ６１の一端は分配器２
の出力端子に接続され、その他端はビデオプレイヤ側のチューナ７の入力端子に接続され
ている。コイル６２の一端は電源Ｖｃｃに接続され、その他端は抵抗１３を介してＮＰＮ
形のトランジスタ１４のコレクタに接続されている。トランジスタ１４のベースは抵抗１
５を介して制御回路８の出力端子に接続され、そのエミッタは接地されている。
【００３５】
図２は本実施形態の出力信号切換装置の切換回路を含む信号処理装置における構成要素
の配置を示す配置構成図である。図２において、１７はパッケージを示し、このパッケー
ジ１７には、アンテナ入力端子１から入力されたテレビ信号を選局するビデオプレイヤ側
のチューナ７と、テレビ信号のＲＦ信号をＩＦ信号に変換してビデオプレイヤ内の所定の
回路に出力するＩＦ回路１６と、ビデオプレイヤからの再生信号をテレビ信号に変換して
テレビ信号を出力するＲＦモジュレータ９とが配置され、更に、信号オープン用リレー３
および記録用リレー６が配置されている。また、パッケージ１７の一側面には、アンテナ
入力端子１とＲＦ出力端子５が設けられている。特に、信号オープン用リレー３および記
録用リレー６の周囲には、テレビ信号の漏れや、ノイズの混入を防止するためのシールド
部材１８が設けられている。
【００３６】
図３は本実施形態において、テレビモード時、ＲＦ出力モード時、記録モード時の動作
を説明するためのフローチャートである。このフローチャートを参照して、テレビモード
時、ＲＦ出力モード時、記録モード時の動作を説明する。
【００３７】
先ず、ビデオプレイヤにおける設定が制御回路８によりＲＦ出力モードであると判定さ
れ（ステップＳ１）、ＲＦモジュレータ９の出力設定が完了すると（ステップＳ２）、ア
ンテナ入力端子１からのテレビ信号をオープンするため（ステップＳ３）、制御回路８は
トランジスタ１１のベースにハイレベル信号を出力し、これにより、トランジスタ１１が
オンされ、信号オープン用リレー３のコイル３２が励磁され、そして、スイッチ３１がオ
フされる。また、この時、制御回路８は減衰器４を減衰動作させることにより、スイッチ
３１がオフ状態であってもテレビ信号が高周波的に漏れて、減衰器４に入っても、漏れテ
レビ信号が減衰器４により更に減衰されて完全に無くなる。この結果、アンテナ入力端子
１からのテレビ信号は、ＲＦ出力端子５へは導かれない。
【００３８】
このような状態に回路が設定された後、ＲＦモジュレータ９からＲＦ信号を出力するこ
とにより（ステップＳ４）、ＲＦ信号が出力端子５から出力され、図示しないテレビ側の
チューナに入力される。この場合、通常は、テレビ側のチューナは、空きチャンネルに設
定してＲＦモジュレータ９からのＲＦ信号を入力するが、間違ってテレビ側のチューナを
放送中のチャンネルに設定した場合でも、アンテナ入力端子１からのテレビ信号はテレビ
側のチューナに入力されることがないので、ＲＦモジュレータ９からのＲＦ信号はテレビ
信号に干渉されず、再生画像や再生音声にノイズが混入するようなことが無くなる。また
、記録用リレー６はオフになっているので、ＲＦ出力端子５から出力されるＲＦ信号がビ
デオプレイヤ側のチューナ７による影響を受けることもない。
【００３９】
次に、ビデオプレイヤの設定がテレビモードであると制御回路８により判定された場合
（ステップＳ５）、テレビ信号を入力するため（ステップＳ６）、制御回路８はトランジ
スタ１１のベースにローレベル信号を出力し、これにより、トランジスタ１１がオフされ
、信号オープン用リレー３のコイル３２が非励磁になり、そして、スイッチ３１がオンさ
れる。また、この時、制御回路８は、減衰器４の減衰動作を停止させる。このような状態
に回路が設定された後、アンテナ入力端子１からのテレビ信号をＲＦ出力端子５から出力
することにより（ステップＳ７）、テレビ信号が図示しないテレビ側のチューナに入力さ
れる。
【００４０】
このようにテレビモード時には、信号オープン用リレー３をオンさせ、且つ減衰器４の
減衰動作を停止させるので、アンテナ入力端子１からのテレビ信号は信号オープン用リレ
ー３および減衰器４をそのまま通過し、ＲＦ出力端子５から出力される。また、記録用リ
レー３はオフになっているので、ＲＦ出力端子５から出力されるテレビ信号がビデオプレ
イヤ側のチューナ７による影響を受けることもない。
【００４１】
次に、ビデオプレイヤの設定が記録モードであると制御回路８により判定された場合（
ステップＳ８）、ビデオプレイヤ側のチューナ７にテレビ信号を入力するため（ステップ
Ｓ９）、制御回路８はトランジスタ１４のベースにハイレベル信号を出力し、これにより
、トランジスタ１４がオンされ、記録用リレー６のコイル６２が励磁され、そして、スイ
ッチ６１がオンされる。
【００４２】
また、この時、制御回路８は、トランジスタ１１のベースにハイレベル信号を出力し、
これにより、トランジスタ１１がオンされ、信号オープン用リレー３のコイル３２が励磁
され、そして、スイッチ３１がオフされる。また、この時、制御回路８は、減衰器４を減
衰動作させることにより、スイッチ３１がオフ状態であってもテレビ信号が高周波的に漏
れて、減衰器４に入っても、漏れテレビ信号が減衰器４により更に減衰されて完全に無く
なる。この結果、アンテナ入力端子１からのテレビ信号は、ＲＦ出力端子５へは導かれな
い。
【００４３】
このような状態に回路が設定された後、アンテナ入力端子１から入力されたテレビ信号
が、分配器２および記録用リレー６を介してビデオプレイヤ側のチューナ７に入力され、
選局したテレビ信号がビデオプレイヤにおいて記録されることになる（ステップＳ１０）
。
【００４４】
また、この記録モード時に記録中の内容を視聴する場合は、制御回路８は、信号オープ
ン用リレー３をオフさせ、且つ減衰器４の減衰動作を行わせるので、減衰器４からはテレ
ビ信号が出力されることがなく、ビデオプレイヤで記録中のテレビ信号が影響を受けずに
ＲＦ出力端子５から出力される。これにより、記録中の画像および音声がテレビに出力す
ることができるが、この場合、テレビにおける画像や音声と、ビデオプレイヤにおける記
記録像や記録音声とに、ノイズが混入することはない。
【００４５】
同じく記録モード時において、記録中であってもアンテナ入力端子１からのテレビ信号
をＲＦ出力端子５から出力させる場合は、信号オープン用リレー３をオンさせ、且つ減衰
器４の減衰動作を停止させると共に、ＲＦモジュレータ９からのＲＦ信号のＲＦ出力端子
５への出力を停止させることにより、テレビにおいて希望のチャンネルの放送を視聴する
ことができると共に、裏側でビデオプレイヤにおいて希望のチャンネルの放送を記録する
ことができる。しかも、テレビ側のチャンネルのテレビ信号とビデオプレイヤ側のチャン
ネル７のテレビ信号とが干渉することがないので、テレビにおける画像や音声と、ビデオ
プレイヤにおける記記録像や記録音声とにノイズが混入することはない。
【００４６】
以上のように、本実施形態によれば、ＲＦモジュレータ９の出力信号の周波数（出力チ
ャンネル）と、アンテナ入力端子１からのテレビ信号の周波数（入力チャンネル）とが重
なった場合でも、ＲＦモジュレータ９からのＲＦ信号とアンテナ入力端子１からのテレビ
信号とが互いに干渉せずにＲＦ出力端子５からＲＦ信号またはテレビ信号を出力すること
ができるようになり、これにより、テレビモード時には、テレビ放送における画像や音声
にノイズが混入することがなくなり、また、ＲＦ出力モード時には、再生画像や再生音声
にノイズが混入することがなくなり、また、記録モード時には、ビデオプレイヤにおいて
ノイズの無いテレビ信号を記録することができ、また、テレビにおいてはノイズの無い画
像および音声を出力することもできる。
【００４７】
また、外来からの強いノイズ成分が突発的にアンテナ入力端子１に入って来た場合でも
、回路的に回り込み、ＲＦモジュレータ９の出力に影響を与えることがない。また、通常
は、ＲＦ出力モード時では、テレビ側のチューナは、空きチャンネルに設定してＲＦモジ
ュレータ９からのＲＦ信号を入力するが、間違ってテレビ側のチューナを放送中のチャン
ネルに設定した場合でも、アンテナ入力端子１からのテレビ信号はテレビ側のチューナに
入力されることがない。また、ＲＦ出力モード時において、必要に応じてテレビ信号の入
力信号をオープンしてカットすることで、ＲＦモジュレータ９の出力周波数（出力チャン
ネル）をどのように設定しても、テレビ信号の入力信号に干渉されないＲＦ信号をＲＦ出
力端子５から出力できる。したがって、これらの場合においても、再生画像や再生音声に
ノイズが入ることがない。
【００４８】
なお、本実施形態では、ビデオプレイヤが再生だけでなく記録もできるものとして、回
路構成を説明したが、ビデオプレイヤが再生のみ可能なものであった場合は、チューナ７
は勿論備えていなく、分配器２、記録用リレー６、抵抗１３、トランジスタ１４、および
抵抗１５は、必要としない。
【００４９】
また、アンテナ入力端子１からのテレビ信号が、信号オープン用リレー３のオフで完全
にオープンされ、ＲＦ出力端子５に導かれることが全くない場合は、減衰器４を設ける必
要がない。また、減衰器４を設ける場合において、減衰器４を信号オープン用リレー３の
前段に設けても同様な効果が得られる。
【図面の簡単な説明】
【００５０】
【図１】本発明の一実施形態に係る出力信号切換装置における切換回路を含む回路ブロック図である。
【図２】前記実施形態の出力信号切換装置の切換回路を含む信号処理装置における構成要素の配置を示す配置構成図である。
【図３】前記実施形態においてテレビモード時とＲＦ出力モード時と記録モード時の動作を説明するためのフローチャートである。
【符号の説明】
【００５１】
１    アンテナ入力端子
２    分配器（分配手段）
３    信号オープン用リレー（信号オープン用スイッチ手段）
４    減衰器（減衰手段）
５    ＲＦ出力端子
６    記録用リレー（記録用スイッチ手段）
７    ビデオプレイヤ側のチューナ
８    制御回路（制御手段）
９    ＲＦモジュレータ
【図１】
2005229155.tif 000003
【図２】
2005229155.tif 000004
【図３】
2005229155.tif 000005